(57)【要約】【課題】  電源アダプタに電子計算機本体へ電源を供給する機能以外の機能を持たせ、電子計算機及びその周辺機器類の全体的な構成を小型化し軽量化する。【解決手段】  電源変換器を有する電源アダプタ部と、周辺機器部とを含み、上記周辺機器部が、上記電源変換器が電源を供給する電子計算機とデータを伝送する、若しくは上記電子計算機から制御されることを特徴とする周辺機器搭載電源アダプタを提示する。ケーブルにおいては、電源アダプタから電子計算機に電源を供給する電源供給線と、その電源供給線で電源が供給される電子計算機と電源を供給する電源アダプタに搭載される周辺機器との間でデータ伝送を行なうデータ伝送路とが、統合されて一体形成されていることを特徴とするケーブルであるものとする。【選択図】図１
2007086876.tif 000002
【特許請求の範囲】
【請求項１】
電源変換器を有する電源アダプタ部と、周辺機器で構成される周辺機器部とを含み、
上記周辺機器部は、上記電源変換器が電源を供給する電子計算機とデータを伝送する、若しくは上記電子計算機から制御されることを特徴とする周辺機器搭載電源アダプタ。
【請求項２】
電源変換器を有する電源アダプタ部と、周辺機器で構成される周辺機器部とを含み、
上記周辺機器部は、上記電源変換器が電源を供給する電子計算機とデータを伝送する、若しくは上記電子計算機から制御され、
上記電源変換器は更に、上記周辺機器部に電源を供給することを特徴とする周辺機器搭載電源アダプタ。
【請求項３】
電源変換器と、周辺機器に接続する周辺機器接続コネクタとを含み、
上記周辺機器接続コネクタに接続する周辺機器が、上記電源変換器が電源を供給する電子計算機とデータを伝送する、若しくは電子計算機から制御され、
上記電源変換器は更に、上記周辺機器接続コネクタに接続する周辺機器に電源を供給する周辺機器搭載電源アダプタ。
【請求項４】
上記周辺機器接続コネクタに接続する周辺機器が、上記周辺機器接続コネクタから着脱自在であることを特徴とする請求項３に記載の周辺機器搭載電源アダプタ。
【請求項５】
上記電源アダプタ部と電子計算機とがケーブルで接続され、
上記ケーブルは、上記電源変換器が電子計算機に電源を供給する電源供給線と、電子計算機と上記周辺機器部との間でデータを伝送するデータ伝送路とを含み、
上記ケーブルが着脱自在であることを特徴とする請求項１に記載の周辺機器搭載電源アダプタ。
【請求項６】
電源アダプタから電子計算機に電源を供給する電源供給線と、
その電源供給線で電源が供給される電子計算機と電源を供給する電源アダプタに搭載される周辺機器との間でデータ伝送を行なうデータ伝送路とが、
統合されて一体形成されていることを特徴とするケーブル。
【請求項７】
電源アダプタから電子計算機に電源を供給する電源供給線と、
その電源供給線で電源が供給される電子計算機と電源を供給する電源アダプタに設けられる周辺機器接続用コネクタとの間でデータ伝送を行なうデータ伝送路とが、
統合されて一体形成されていることを特徴とするケーブル。
【請求項８】
電源アダプタから電子計算機に電源を供給する電源供給線を含む第１の電源管と、
その電源供給線で電源が供給される電子計算機と電源を供給する電源アダプタに搭載される周辺機器との間でデータ伝送を行なうデータ伝送路を含むデータ管とを有し、
上記第１の電源管と上記データ管とが着脱自在であることを特徴とするケーブル。
【請求項９】
電源アダプタから電子計算機に電源を供給する電源供給線と、
その電源供給線で電源が供給される電子計算機と電源を供給する電源アダプタに搭載される周辺機器との間でデータ伝送を行なうデータ伝送路と、
その電子計算機からその周辺機器に電源を供給する電源供給線とが、
統合されて一体形成されていることを特徴とするケーブル。
【請求項１０】
電源アダプタから電子計算機に電源を供給する電源供給線を含む第１の電源管と、
その電源供給線で電源が供給される電子計算機と電源を供給する電源アダプタに搭載される周辺機器との間でデータ伝送を行なうデータ伝送路を含むデータ管と、
電子計算機から周辺機器に電源を供給する電源供給線を含む第２の電源管とを有し、
上記第１の電源管、上記データ管及び上記第２の電源管が、着脱自在であることを特徴とするケーブル。
【請求項１１】
電源アダプタから電子計算機に電源を供給する電源供給線を含む第１の電源管と、
その電源供給線で電源が供給される電子計算機と電源を供給する電源アダプタに設けられる周辺機器接続用コネクタとの間でデータ伝送を行なうデータ伝送路を含むデータ管と、
電子計算機から周辺機器接続用コネクタに電源を供給する電源供給線を含む第２の電源管とを有し、
上記第１の電源管、上記データ管及び上記第２の電源管が、着脱自在であることを特徴とするケーブル。
【請求項１２】
電源アダプタから電子計算機に電源を供給する電源供給コネクタと、
電源が供給される電子計算機と電源を供給する電源アダプタに搭載される周辺機器との間でデータ伝送を行なうデータ伝送コネクタとが、
ケーブルの端で統合されて一体形成されていることを特徴とする一体型コネクタ。
【請求項１３】
電源アダプタから電子計算機に電源を供給する電源供給コネクタと、
電源が供給される電子計算機と電源を供給する電源アダプタに搭載される周辺機器との間でデータ伝送を行なうデータ伝送コネクタとが、ケーブルの端で形成され、
上記電源供給コネクタと上記データ伝送コネクタが、着脱自在であることを特徴とする一体型コネクタ。
【請求項１４】
電源アダプタから電子計算機に電源を供給する電源供給コネクタと、
電源が供給される電子計算機と電源を供給する電源アダプタに搭載される周辺機器との間でデータ伝送を行なうデータ伝送コネクタと、
電子計算機から周辺機器に電源を供給する周辺機器電源供給コネクタとが、
ケーブルの端で統合されて一体形成されていることを特徴とする一体型コネクタ。
【請求項１５】
電源アダプタから電子計算機に電源を供給する電源供給コネクタと、
電源が供給される電子計算機と電源を供給する電源アダプタに搭載される周辺機器との間でデータ伝送を行なうデータ伝送コネクタと、
電子計算機から周辺機器に電源を供給する周辺機器電源供給コネクタとが、ケーブルの端で形成され、
上記電源供給コネクタ、上記データ伝送コネクタ及び周辺機器電源供給コネクタが、着脱自在であることを特徴とする一体型コネクタ。
【請求項１６】
電源アダプタから電子計算機に電源の供給を受ける電源入力コネクタと、
電源が供給される電子計算機と電源を供給する電源アダプタに搭載される周辺機器との間でデータ伝送を行なうデータ入出力コネクタとが、
電子計算機の表面で一体形成されていることを特徴とする一体型コネクタ。
【請求項１７】
電源アダプタから電子計算機に電源の供給を受ける電源入力コネクタと、
電源が供給される電子計算機と電源を供給する電源アダプタに搭載される周辺機器との間でデータ伝送を行なうデータ入出力コネクタと、
電子計算機から周辺機器への電源の供給を出力する周辺機器電源出力コネクタとが、
電子計算機の表面で一体形成されていることを特徴とする一体型コネクタ。
【請求項１８】
電子計算機への供給電力信号と、
電子計算機へのデータ伝送信号若しくは電子計算機から制御される自らに搭載された周辺機器で構成される周辺機器部のデータ伝送信号との、
多重化及び分離を行う回路を備えることを特徴とする周辺機器搭載電源アダプタ。
【請求項１９】
電子計算機から自らに搭載された周辺機器で構成される周辺機器部への供給電力信号と、
電子計算機へのデータ伝送信号若しくは電子計算機から制御される自らに搭載された周辺機器で構成される周辺機器のデータ伝送信号との、
多重化及び分離を行う回路を備えることを特徴とする周辺機器搭載電源アダプタ。
【請求項２０】
周辺機器搭載電源アダプタからの供給電力信号と、自らへのデータ伝送信号若しくは自らが制御する周辺機器搭載電源アダプタに搭載される周辺機器部のデータ伝送信号との、多重化及び分離を行う回路を備えることを特徴とする電子計算機。
【請求項２１】
周辺機器搭載電源アダプタに搭載された周辺機器で構成される周辺機器部への供給電力信号と、
自らへのデータ伝送信号若しくは自らが制御する周辺機器搭載電源アダプタに搭載された周辺機器で構成される周辺機器部のデータ伝送信号との、
多重化及び分離を行う回路を備えることを特徴とする電子計算機。
【請求項２２】
電子計算機から自らに搭載された周辺機器で構成される周辺機器部への供給電力信号と、
自らに搭載された周辺機器で構成される周辺機器部への供給電力信号との、
多重化を行う回路を備えることを特徴とする周辺機器搭載電源アダプタ。
【発明の詳細な説明】
【技術分野】
【０００１】
本発明は、電源アダプタに関し、特に電子計算機で利用する電源アダプタに関する。
【背景技術】
【０００２】
小型デスクトップＰＣ（Ｐｅｒｓｏｎａｌ  Ｃｏｍｐｕｔｅｒ：パーソナルコンピュータ）、ノート型ＰＣ若しくは携帯情報端末等の電子計算機の電源供給手段として、電源アダプタが使用されている。
【０００３】
電源アダプタの目的の機能は、機器に電源を供給することであるが、それ以上に出るものではない。つまり、電源アダプタは、その体積および重量が比較的大きいにもかかわらず、体積対機能比で考えると効率が高いとは言えない。
【０００４】
また、図１６に示す従来技術に係る構成のように、電源アダプタ１１０と電子計算機本体４を接続する電源アダプタケーブル１１６は、電子計算機本体４に電源を供給する経路となるのみである。電子計算機本体４を周辺機器１１２と接続する場合、そのためのケーブル１１４が別途必要となる。さらに、消費電力の高い周辺機器１１２は、周辺機器１１２に電源を供給するための周辺機器用電源アダプタ１１１を必要とすることがある。
【０００５】
なお以下に示す特許文献１は、ＡＣアダプタを内蔵するＵＳＢ規格のハブを開示するが、該ハブはＰＣ（パーソナルコンピュータ）本体に電源を供給するためのものではない。
特許文献２は、小型デジタル機器用の携帯可能ＡＣアダプタ電源装置であって、ＡＣ商用電圧値の異なる世界各国の規格に対応でき、また、異常発生時でも停止することなく稼動を可能にするバックアップ付きのＡＣアダプタ電源装置を開示する。
特許文献３は、電源を内蔵するネットワーク集線装置を開示するが、該ネットワーク集線装置はＰＣ本体に電源を供給するものではない。
特許文献４は、電源プラグを備えるＬＡＮ集線装置を開示するが、該ＬＡＮ集線装置はＰＣ本体に電源を供給するものではない。
特許文献５は、電源用コンセントに直付けすることのできるネットワーク集線装置を開示するが、該ネットワーク集線装置はＰＣ本体に電源を供給するものではない。
特許文献６は、無停電電源装置のインターフェース装置を開示する。該無停電電源装置では、入力される電源と出力される電源とにおいて、周波数、電圧は変換されない。
【特許文献１】特開２００３−３３２００１公報
【特許文献２】特開２００４−３０４９４１公報
【特許文献３】特許第３１０１２０６号公報
【特許文献４】登録実用新案第３０４６９０４号公報
【特許文献５】特開２０００−２７７２２２公報
【特許文献６】特公平８−３３７９１号公報
【発明の開示】
【発明が解決しようとする課題】
【０００６】
本発明は、電源アダプタに電子計算機本体へ電源を供給する機能以外の機能を持たせ、電子計算機及びその周辺機器類の全体的な構成を小型化し軽量化することを目的とする。
【課題を解決するための手段】
【０００７】
本発明は、上記の目的を達成するためになされたものである。本発明に係る請求項１に記載の周辺機器搭載電源アダプタは、
電源変換器を有する電源アダプタ部と、周辺機器で構成される周辺機器部とを含み、
上記周辺機器部は、上記電源変換器が電源を供給する電子計算機とデータを伝送する、若しくは上記電子計算機から制御されることを特徴とする周辺機器搭載電源アダプタである。
【０００８】
本発明に係る請求項２に記載の周辺機器搭載電源アダプタは、
電源変換器を有する電源アダプタ部と、周辺機器で構成される周辺機器部とを含み、
上記周辺機器部は、上記電源変換器が電源を供給する電子計算機とデータを伝送する、若しくは上記電子計算機から制御され、
上記電源変換器は更に、上記周辺機器部に電源を供給することを特徴とする周辺機器搭載電源アダプタである。
【０００９】
本発明に係る請求項３に記載の周辺機器搭載電源アダプタは、
電源変換器と、周辺機器に接続する周辺機器接続コネクタとを含み、
上記周辺機器接続コネクタに接続する周辺機器が、上記電源変換器が電源を供給する電子計算機とデータを伝送する、若しくは電子計算機から制御され、
上記電源変換器は更に、上記周辺機器接続コネクタに接続する周辺機器に電源を供給する周辺機器搭載電源アダプタである。
【００１０】
本発明に係る請求項４に記載の周辺機器搭載電源アダプタは、
上記周辺機器接続コネクタに接続する周辺機器が、上記周辺機器接続コネクタから着脱自在であることを特徴とする請求項３に記載の周辺機器搭載電源アダプタである。
【００１１】
本発明に係る請求項５に記載の周辺機器搭載電源アダプタは、
上記電源アダプタ部と電子計算機とがケーブルで接続され、
上記ケーブルは、上記電源変換器が電子計算機に電源を供給する電源供給線と、電子計算機と上記周辺機器部との間でデータを伝送するデータ伝送路とを含み、
上記ケーブルが着脱自在であることを特徴とする請求項１に記載の周辺機器搭載電源アダプタである。
【００１２】
本発明に係る請求項６に記載のケーブルは、
電源アダプタから電子計算機に電源を供給する電源供給線と、
その電源供給線で電源が供給される電子計算機と電源を供給する電源アダプタに搭載される周辺機器との間でデータ伝送を行なうデータ伝送路とが、
統合されて一体形成されていることを特徴とするケーブルである。
【００１３】
本発明に係る請求項７に記載のケーブルは、
電源アダプタから電子計算機に電源を供給する電源供給線と、
その電力供給線で電力が供給される電子計算機と電源を供給する電源アダプタに設けられる周辺機器接続用コネクタとの間でデータ伝送を行なうデータ伝送路とが、
統合されて一体形成されていることを特徴とするケーブルである。
【００１４】
本発明に係る請求項８に記載のケーブルは、
電源アダプタから電子計算機に電源を供給する電源供給線を含む第１の電源管と、
その電力供給線で電力が供給される電子計算機と電源を供給する電源アダプタに搭載される周辺機器との間でデータ伝送を行なうデータ伝送路を含むデータ管とを有し、
上記第１の電源管と上記データ管とが着脱自在であることを特徴とするケーブルである。
【００１５】
本発明に係る請求項９に記載のケーブルは、
電源アダプタから電子計算機に電源を供給する電源供給線と、
その電源供給線で電源が供給される電子計算機と電源を供給する電源アダプタに搭載される周辺機器との間でデータ伝送を行なうデータ伝送路と、
その電子計算機からその周辺機器に電源を供給する電源供給線とが、
統合されて一体形成されていることを特徴とするケーブルである。
【００１６】
本発明に係る請求項１０に記載のケーブルは、
電源アダプタから電子計算機に電源を供給する電源供給線を含む第１の電源管と、
その電源供給線で電源が供給される電子計算機と電源を供給する電源アダプタに搭載される周辺機器との間でデータ伝送を行なうデータ伝送路を含むデータ管と、
電子計算機から周辺機器に電源を供給する電源供給線を含む第２の電源管とを有し、
上記第１の電源管、上記データ管及び上記第２の電源管が、着脱自在であることを特徴とするケーブルである。
【００１７】
本発明に係る請求項１１に記載のケーブルは、
電源アダプタから電子計算機に電源を供給する電源供給線を含む第１の電源管と、
その電源供給線で電源が供給される電子計算機と電源を供給する電源アダプタに設けられる周辺機器接続用コネクタとの間でデータ伝送を行なうデータ伝送路を含むデータ管と、
電子計算機から周辺機器接続用コネクタに電源を供給する電源供給線を含む第２の電源管とを有し、
上記第１の電源管、上記データ管及び上記第２の電源管が、着脱自在であることを特徴とするケーブルである。
【００１８】
本発明に係る請求項１２に記載の一体型コネクタは、
電源アダプタから電子計算機に電源を供給する電源供給コネクタと、
電源が供給される電子計算機と電源を供給する電源アダプタに搭載される周辺機器との間でデータ伝送を行なうデータ伝送コネクタとが、
ケーブルの端で統合されて一体形成されていることを特徴とする一体型コネクタである。
【００１９】
本発明に係る請求項１３に記載の一体型コネクタは、
電源アダプタから電子計算機に電源を供給する電源供給コネクタと、
電源が供給される電子計算機と電源を供給する電源アダプタに搭載される周辺機器との間でデータ伝送を行なうデータ伝送コネクタとが、ケーブルの端で形成され、
上記電源供給コネクタと上記データ伝送コネクタが、着脱自在であることを特徴とする一体型コネクタである。
【００２０】
本発明に係る請求項１４に記載の一体型コネクタは、
電源アダプタから電子計算機に電源を供給する電源供給コネクタと、
電源が供給される電子計算機と電源を供給する電源アダプタに搭載される周辺機器との間でデータ伝送を行なうデータ伝送コネクタと、
電子計算機から周辺機器に電源を供給する周辺機器電源供給コネクタとが、
ケーブルの端で統合されて一体形成されていることを特徴とする一体型コネクタである。
【００２１】
本発明に係る請求項１５に記載の一体型コネクタは、
電源アダプタから電子計算機に電源を供給する電源供給コネクタと、
電源が供給される電子計算機と電源を供給する電源アダプタに搭載される周辺機器との間でデータ伝送を行なうデータ伝送コネクタと、
電子計算機から周辺機器に電源を供給する周辺機器電源供給コネクタとが、ケーブルの端で形成され、
上記電源供給コネクタ、上記データ伝送コネクタ及び周辺機器電源供給コネクタが、着脱自在であることを特徴とする一体型コネクタである。
【００２２】
本発明に係る請求項１６に記載の一体型コネクタは、
電源アダプタから電子計算機に電源の供給を受ける電源入力コネクタと、
電源が供給される電子計算機と電源を供給する電源アダプタに搭載される周辺機器との間でデータ伝送を行なうデータ入出力コネクタとが、
電子計算機の表面で一体形成されていることを特徴とする一体型コネクタである。
【００２３】
本発明に係る請求項１７に記載の一体型コネクタは、
電源アダプタから電子計算機に電源の供給を受ける電源入力コネクタと、
電源が供給される電子計算機と電源を供給する電源アダプタに搭載される周辺機器との間でデータ伝送を行なうデータ入出力コネクタと、
電子計算機から周辺機器への電源の供給を出力する周辺機器電源出力コネクタとが、
電子計算機の表面で一体形成されていることを特徴とする一体型コネクタである。
【００２４】
本発明に係る請求項１８に記載の周辺機器搭載電源アダプタは、
電子計算機への供給電力信号と、
電子計算機へのデータ伝送信号若しくは電子計算機から制御される自らに搭載された周辺機器で構成される周辺機器部のデータ伝送信号との、
多重化及び分離を行う回路を備えることを特徴とする周辺機器搭載電源アダプタである。
【００２５】
本発明に係る請求項１９に記載の周辺機器搭載電源アダプタは、
電子計算機から自らに搭載された周辺機器で構成される周辺機器部への供給電力信号と、
電子計算機へのデータ伝送信号若しくは電子計算機から制御される自らに搭載された周辺機器で構成される周辺機器のデータ伝送信号との、
多重化及び分離を行う回路を備えることを特徴とする周辺機器搭載電源アダプタである。
【００２６】
本発明に係る請求項２０に記載の電子計算機は、
周辺機器搭載電源アダプタからの供給電力信号と、自らへのデータ伝送信号若しくは自らが制御する周辺機器搭載電源アダプタに搭載される周辺機器部のデータ伝送信号との、多重化及び分離を行う回路を備えることを特徴とする電子計算機である。
【００２７】
本発明に係る請求項２１に記載の電子計算機は、
周辺機器搭載電源アダプタに搭載された周辺機器で構成される周辺機器部への供給電力信号と、
自らへのデータ伝送信号若しくは自らが制御する周辺機器搭載電源アダプタに搭載された周辺機器で構成される周辺機器部のデータ伝送信号との、
多重化及び分離を行う回路を備えることを特徴とする電子計算機である。
【００２８】
本発明に係る請求項２２に記載の周辺機器搭載電源アダプタは、
電子計算機から自らに搭載された周辺機器で構成される周辺機器部への供給電力信号と、
自らに搭載された周辺機器で構成される周辺機器部への供給電力信号との、
多重化を行う回路を備えることを特徴とする周辺機器搭載電源アダプタである。
である。
【発明の効果】
【００２９】
本発明により、電源アダプタは、電子計算機本体へ電源を供給する機能以外の機能を持つことになり、このことによって、電子計算機及びその周辺機器類の全体的な構成が小型化され且つ軽量化される。特に、電源アダプタは周辺機器の電源を兼ねることができる。更に、電子計算機やその周辺機器類で多数利用されるケーブル線の本数を減らすことができ、電子計算機やその周辺機器の周囲の空間を有効利用できる。
【発明を実施するための最良の形態】
【００３０】
以下、図面を参照して本発明の好適な実施形態を説明する。
【００３１】
《第１の実施形態》
図１（１）は、本発明の第１の実施形態に係る周辺機器搭載電源アダプタ８、電子計算機４、及び両者を接続するケーブル６の概略の斜視図である。図１（１）に示す周辺機器搭載電源アダプタ８は、電源アダプタ部１０と周辺機器部１２とが一体となって構成されている。電源アダプタ部１０は、主電源入力線、及び内部に電源変換器（図示せず）を有する。電源変換器は、主電源入力線から入力される電源を必要とされる電源に変換する。更に、電源アダプタ部１０は、従来の電源アダプタ（ＡＣアダプタ）と同様に、電子計算機４に電源を供給する。
【００３２】
一方、周辺機器部１２は電子計算機４の周辺機器の機能を有する部位であり、例えば、（後で説明するように）ＵＳＢ接続ハードディスクの機能を有する部位である。周辺機器搭載電源アダプタ８と電子計算機４を接続するケーブル６は一本であり、該ケーブル６は、電源を電子計算機４に供給すると共に、周辺機器搭載電源アダプタ８の周辺機器部１２と電子計算機４との間のデジタルデータの伝送を行う。
【００３３】
電子計算機４は、周辺機器コントローラ（図示せず）及び電源入力回路（図示せず）を内蔵する。周辺機器コントローラは、周辺機器搭載電源アダプタの周辺機器部１２とのデータ伝送などの制御を行う。
【００３４】
図１（１）に示すように、周辺機器搭載電源アダプタ８において電源アダプタ部１０と周辺機器部１２とが一体となって構成されることによって、装置全体の体積及び重量が小さくなりうる。
【００３５】
また、図１（２）に示すように、周辺機器搭載電源アダプタ８の周辺機器部１２が別途の電源を必要とする場合、周辺機器搭載電源アダプタ８の電源アダプタ部１０に電源分岐部２０を設け、その電源分岐部２０から電子計算機４と周辺機器部１２とに電源を分岐して供給するようにしてもよい。なお、電源分岐部２０から出力される電源は、それらの特性が同一でなくてもよく、例えばそれらの周波数や電圧がそれぞれ異なっていてもよい。
【００３６】
図２（１）は、本発明の第１の実施形態の変形例に係る電源アダプタ１０’、電子計算機４、及び両者を接続するケーブル６の概略の斜視図である。図２（１）に示す電源アダプタ１０’は、従来の電源アダプタと同様に、ケーブル６を介して電子計算機４に電源を供給するが、そのような機能に加えて、周辺機器接続コネクタ２２を備える。周辺機器１２’は、該周辺機器接続コネクタ２２を介して電源アダプタ１０’に接続する（図２（２）参照）。
【００３７】
図２（１）に示す構成では、周辺機器接続コネクタ２２がケーブル６を介して電子計算機４とデータを送受信するように、周辺機器接続コネクタ２２にはデータ伝送路１４が引かれている。更に、周辺機器接続コネクタ２２が電源アダプタ１０’から電源を供給されるように、周辺機器接続コネクタ２２は電源アダプタ１０’に設けられる電源分岐部２０と接続している。
【００３８】
また、図３は、本発明の第１の実施形態の更なる変形例に係る周辺機器搭載電源アダプタ８、電子計算機４、及び両者を接続するケーブル６’の概略の斜視図である。図３に示す周辺機器搭載電源アダプタ８とケーブル６’とは、着脱可能なように構成されている。つまり、図３に示す周辺機器搭載電源アダプタ８は、データ伝送路と電源供給線とが一体となったケーブル６’が着脱自在であり、しかも様々なデータ伝送路に対応し得るように構成されている。従って、周辺機器を使用しない場合などデータ伝送路を必要としない場合、電源供給のみを行なうケーブルに変更することができる。
【００３９】
《第２の実施形態》
図４（１）（２）（３）は、本発明の第２の実施形態に係るケーブル（６、６’）の構成内容を模式的に示す斜視図である。これらケーブル（６、６’）は、周辺機器搭載電源アダプタ８若しくは電源アダプタ１０’と、電子計算機４とを接続する。なお図４では、周辺機器搭載電源アダプタ８、電源アダプタ１０’、及び電子計算機４は、点線で示されている。
【００４０】
図４（１）に示すケーブル６は、電源アダプタ部１０から電子計算機４への電源供給線１６と、電子計算機４と周辺機器部１２間のデータ伝送路１４を一体化したケーブルである。図１６に示す従来の電源アダプタ１１０、周辺機器１１２、及び電子計算機４の間では、必ず２本のケーブル（１１４、１１６）が必要である。図４（１）に示すケーブル６は単一のケーブルであり、このことは装置全体の小型化及び軽量化に寄与する。
【００４１】
図４（２）に示すケーブル６は、周辺機器接続コネクタ２２が備わる電源アダプタ１０’から電子計算機４への電源供給線１６と、電子計算機４と周辺機器接続コネクタ２２間のデータ伝送路１４を一体化したケーブルである。図４（２）に示すケーブル６も単一のケーブルであり、このこともやはり装置全体の小型化及び軽量化に寄与する。
【００４２】
図４（３）に示すケーブル６’は、電源アダプタ部１０から電子計算機４への電源供給線１６を含む電源管２６と、電子計算機４と周辺機器部１２間のデータ伝送路１４を含むデータ管２４とを、一体化したものであるが、電源管２６とデータ管２４は着脱可能なように構成されている。このようにすることで、周辺機器搭載電源アダプタ８の電源アダプタ部１０のみを使用する場合に、データ管２４を分離することによって、ケーブル６’を小型化及び軽量化できる。また、周辺機器搭載電源アダプタ８の周辺機器部１２のみを使用する場合にも、電源管２６を分離することによって、ケーブル６’を小型化及び軽量化できる。更に、電源管２６と、データ管２４とを分離することによって、周辺機器搭載電源アダプタ８の周辺機器部１２を、独立して別の電子計算機で使用することができるようになる。
【００４３】
《第３の実施形態》
図５（１）（２）（３）は、本発明の第３の実施形態に係るケーブル（３０、３０’）の構成内容を模式的に示す斜視図である。これらケーブル（３０、３０’）は、周辺機器搭載電源アダプタ８若しくは電源アダプタ１０’と、電子計算機４とを接続する。なお図５でも、周辺機器搭載電源アダプタ８、電源アダプタ１０’、及び電子計算機４は、点線で示されている。
【００４４】
図５（１）に示すケーブル３０は、電源アダプタ部１０から電子計算機４への電源供給線１６と、電子計算機４と周辺機器部１２間のデータ伝送路１４と、電子計算機４から周辺機器部１２への電源供給線２８とを一体化したケーブルである。図１（２）に示す周辺機器搭載電源アダプタ８の周辺機器部１２は別途の電源を必要としその電源を電源アダプタ部１０の電源分岐部２０から取得しているが、図５（１）に示す周辺機器部１２はそもそも電子計算機４から電源を取得する形態のものである。このことを受けて、ケーブル３０では、電源供給線１６、データ伝送路１４、及び電源供給線２８が一体化されている。図５（１）に示すケーブル３０は、図４（１）に示すケーブル６と同様に、単一のケーブルであり、このことは装置全体の小型化及び軽量化に寄与する。
【００４５】
図５（２）に示すケーブル３０’は、電源アダプタ部１０から電子計算機４への電源供給線１６を含む電源管２６と、電子計算機４と周辺機器部１２間のデータ伝送路１４を含むデータ管２４と、電子計算機４から周辺機器部１２への電源供給線２８を含む電源管３２とを、一体化したケーブルであるが、電源管２６、データ管２４、及び電源管３２は、着脱可能であるように構成されている。
【００４６】
このようにすることで、周辺機器搭載電源アダプタ８の電源アダプタ部１０のみを使用する場合に、データ管２４及び電源管３２を分離することによって、ケーブル３０’を小型化及び軽量化できる。また、周辺機器搭載電源アダプタ８の周辺機器部１２のみを使用する場合にも、電源管２６を分離することによって、ケーブル３０’を小型化及び軽量化できる。更に、電源管２６と、データ管２４及び電源管３２とを分離することによって、周辺機器搭載電源アダプタ８の周辺機器部１２を、独立して別の電子計算機で使用することができるようになる。
【００４７】
図５（３）に示すケーブル３０’は、周辺機器接続コネクタ２２が備わる電源アダプタ１０’から電子計算機４への電源供給線１６を含む電源管２６と、電子計算機４と周辺機器接続コネクタ２２間のデータ伝送路１４を含むデータ管２４と、電子計算機４から周辺機器接続コネクタ２２への電源供給線２８を含む電源管３２とを一体化したケーブルである。更に、図５（３）に示すケーブル３０’も、電源管２６、データ管２４、及び電源管３２が、相互に着脱可能であるように構成されている。
【００４８】
このようにすることで、電源アダプタ１０’に周辺機器を接続せず電源アダプタ１０’のみを使用する場合に、データ管２４及び電源管３２を分離することによって、ケーブル３０’を小型化及び軽量化できる。
【００４９】
《第４の実施形態》
図６（１）（２）、図７（１）（２）、図８（１）（２）は、本発明の第４の実施形態に係るケーブル出力コネクタ（３４、３６、４２）及び入力コネクタ（３８、４０、４４）の構成内容を模式的に示す斜視図である。これらケーブル出力コネクタ（３４、３６、４２）は、ケーブルの端部に設けられる。入力コネクタ（３８、４０、４４）は電子計算機４の側面等に設けられる。ケーブル出力コネクタ（３４、３６、４２）及び入力コネクタ（３８、４０、４４）は、ケーブルと電子計算機４を接続する。なお図６〜図８でも、コネクタ以外の機器である周辺機器搭載電源アダプタ８、電源アダプタ１０’、電子計算機４、及びケーブルは、点線で示されている。
【００５０】
図６（１）には、統合されて一体形成された電源供給コネクタ３６とデータ伝送コネクタ３４が示されている。電源供給コネクタ３６は、電源供給線１６を電子計算機４に繋ぐケーブル出力コネクタであり、データ伝送コネクタ３４は、データ伝送路１４と電子計算機４を繋ぐケーブル出力コネクタである。更に、図８（１）には、統合されて一体形成された電源入力コネクタ４０とデータ入出力コネクタ３８が示されている。電源入力コネクタ４０及びデータ入出力コネクタ３８は、いずれも電子計算機４の側面に備わり、夫々電源供給コネクタ３６とデータ伝送コネクタ３４と繋がる。
【００５１】
電源供給コネクタ３６とデータ伝送コネクタ３４を統合して形成することにより、ケーブル、電源アダプタ及び電子計算機の小型化及び軽量化が図れる。同様に、電子計算機４に備わる電源入力コネクタ４０とデータ入出力コネクタ３８を統合して形成することにより、ケーブルや電子計算機の小型化及び軽量化が図れる。
【００５２】
次に、図７（１）には、統合されて一体形成された電源供給コネクタ３６、データ伝送コネクタ３４及び周辺機器電源供給コネクタ４２が示されている。ここでの周辺機器電源供給コネクタ４２は、電子計算機４から周辺機器部１２への電源供給線２８を電子計算機４に繋ぐケーブルコネクタである。図８（２）には、統合されて一体形成された電源入力コネクタ４０、データ入出力コネクタ及び周辺機器電源出力コネクタ４４が示されている。ここでの周辺機器電源出力コネクタ４４は、電子計算機４の側面に備わり、周辺機器電源供給コネクタ４２と繋がるコネクタである。
【００５３】
電源供給コネクタ３６、データ伝送コネクタ３４及び周辺機器電源供給コネクタ４２を統合して形成することにより、ケーブル、周辺機器（部）、電源アダプタ（部）及び電子計算機の小型化及び軽量化が図れる。同様に、電子計算機４に備わる電源入力コネクタ４０、データ入出力コネクタ３８及び周辺機器電源出力コネクタ４４を統合して形成することにより、ケーブルや電子計算機の小型化及び軽量化が図れる。
【００５４】
次に、図６（２）には、図６（１）に示すコネクタとは異なり、相互に着脱可能なように形成された電源供給コネクタ３６とデータ伝送コネクタ３４とが示されている。更に、図７（２）には、やはり図７（１）に示すコネクタとは異なり、相互に着脱可能なように形成された電源供給コネクタ３６、データ伝送コネクタ３４及び周辺機器電源供給コネクタ４２が示されている。
【００５５】
図６（２）のように、電源供給コネクタ３６とデータ伝送コネクタ３４とを着脱可能なように形成することの利点を示す。このとき電子計算機４が電源アダプタの機能のみを使用する場合に、データ伝送コネクタ３４を分離すれば、ケーブルから電子計算機４へのコネクタ部分をより小型化及び軽量化できる。また、電源アダプタの機能のみを使用する場合、電源アダプタそのもののみを使用することになるから、装置全体を小型化及び軽量化できる。更に、データ伝送コネクタ３４を分離すれば、電源供給コネクタ３６を、電子計算機の既存の電源入力コネクタに接続することが可能となる。つまり、電源入力コネクタのみが存在する場合でも接続できる。
また、電子計算機４が周辺機器の機能のみを使用する場合に、電源供給コネクタ３６を分離すれば、ケーブルから電子計算機４へのコネクタ部分をより小型化及び軽量化できる。また、周辺機器の機能のみを使用する場合、周辺機器そのもののみを使用することになるから、装置全体を小型化及び軽量化できる。更に、電源供給コネクタ３６を分離すれば、周辺機器（部）を独立して別の電子計算機で使用することができる。また、電子計算機の既存の周辺機器用の接続用入力コネクタに接続することも可能となり、周辺機器用の接続用入力コネクタのみが存在する場合でも接続可能となる。
【００５６】
図７（２）のように、電源供給コネクタ３６、データ伝送コネクタ３４及び周辺機器電源供給コネクタ４２を着脱可能なように形成することの利点を示す。このとき電子計算機４が電源アダプタの機能のみを使用する場合に、データ伝送コネクタ３４と周辺機器電源供給コネクタ４２を分離すれば、ケーブルから電子計算機４へのコネクタ部分をより小型化及び軽量化できる。また、電源アダプタの機能のみを使用する場合、電源アダプタそのもののみを使用することになるから、装置全体を小型化及び軽量化できる。更に、データ伝送コネクタ３４と周辺機器電源供給コネクタ４２を分離すれば、電源供給コネクタ３６を、電子計算機の既存の電源入力コネクタに接続することが可能となる。つまり、電源入力コネクタのみが存在する場合でも接続できる。
また、電子計算機４が周辺機器の機能のみを使用する場合に、電源供給コネクタ３６を分離すれば、ケーブルから電子計算機４へのコネクタ部分をより小型化及び軽量化できる。また、周辺機器の機能のみを使用する場合、周辺機器そのもののみを使用することになるから、装置全体を小型化及び軽量化できる。このとき周辺機器を、電子計算機４からの電源供給によって（即ち、周辺機器へ電源供給する電源アダプタを使用しないで）、動作させることができる。更に、電源供給コネクタ３６を分離すれば、周辺機器（部）を独立して別の電子計算機で使用することができる。また、電子計算機の既存の周辺機器用の接続用入力コネクタ・電源入力用コネクタに接続することも可能となり、周辺機器用の接続用入力コネクタのみが存在する場合でも接続可能となる。
【００５７】
《第５の実施形態》
図９は、本発明の第５の実施形態に係る周辺機器搭載電源アダプタ８、ケーブル３０及び電子計算機４の概略の構成を模式的に示す斜視図である。ここでのケーブル３０は、図５（１）若しくは（２）に示す第３の実施形態に係るものである。周辺機器搭載電源アダプタ８は、電源アダプタ部１０と周辺機器部１２が一体に構成され、電源分岐部２０を備え、図５（１）若しくは（２）に示すケーブルと接続する形態のものである。
【００５８】
周辺機器搭載電源アダプタ８の具体例としては、以下の［１］〜［９］のものが挙げられる。
［１］ＵＳＢハブもしくはＵＳＢ延長コネクタ（コントローラなし）を搭載した電源アダプタ。
［２］イーサーネット（ＩＥＥＥ８０２．３）ハブもしくはイーサーネット延長コネクタ（コントローラなし）を搭載した電源アダプタ。
［３］ＩＥＥＥ１３９４ハブもしくはＩＥＥＥ１３９４延長コネクタ（コントローラなし）を搭載した電源アダプタ。
［４］磁気ドライブ（ＨＤＤ）、磁気ドライブ（ＦＤＤ）、光メディアドライブ（ＣＤ−ＲＯＭ／ＣＤ−ＲＷ／ＤＶＤ−ＲＯＭ等）を搭載した電源アダプタ。
［５］ＳＤカード（登録商標）、マルチメディアカード（登録商標）、メモリースティック（登録商標）、スマートメディア（登録商標）、スマートカード（登録商標）、ｘＤピクチャカード（登録商標）、コンパクトフラッシュ（登録商標）、ＡＴＡインターフェースＰＣカード、マイクロドライブ等のメディアカードリーダーを搭載した電源アダプタ。
［６］シリアルＡＴＡインターフェースを用いるコントローラを搭載した電源アダプタ。
［７］ＰＣＩＥｘｐｒｅｓｓインターフェースを用いるコントローラを搭載した電源アダプタ。
［８］シリアル（ＲＳ−２３２Ｃ）インターフェースを用いるコントローラを搭載した電源アダプタ。
［９］パラレル（プリンタ、ＩＥＥＥ１２８４）インターフェースを用いるコントローラを搭載した電源アダプタ。
【００５９】
また、データ伝送路１４と電源供給線（１６、２８）とが一体となるものの具体例としては、以下の［１０］〜［２３］のものが挙げられる。
［１０］ＵＳＢインターフェースデータ伝送路と一体化した電子計算機への電源供給線。
［１１］ＵＳＢインターフェースデータ伝送路とＵＳＢ周辺機器への電源供給線と一体化した電子計算機への電源供給線。
［１２］ＩＥＥＥ１３９４インターフェースデータ伝送路と一体化した電子計算機への電源供給線。
［１３］ＩＥＥＥ１３９４インターフェースデータ伝送路とＩＥＥＥ１３９４周辺機器への電源供給線と一体化した電子計算機への電源供給線。
［１４］シリアルＡＴＡインターフェースデータ伝送路と一体化した電子計算機への電源供給線。
［１５］シリアルＡＴＡインターフェースデータ伝送路とシリアルＡＴＡ周辺機器への電源供給線と一体化した電子計算機への電源供給線。
［１６］ＰＣＩＥｘｐｒｅｓｓインターフェースデータ伝送路と一体化した電子計算機への電源供給線。
［１７］ＰＣＩＥｘｐｒｅｓｓインターフェースデータ伝送路とＰＣＩＥｘｐｒｅｓｓ周辺機器への電源供給線と一体化した電子計算機への電源供給線。
［１８］シリアル（ＲＳ−２３２Ｃ）インターフェースデータ伝送路と一体化した電子計算機への電源供給線。
［１９］シリアル（ＲＳ−２３２Ｃ）インターフェースデータ伝送路とシリアル（ＲＳ−２３２Ｃ）周辺機器への電源供給線と一体化した電子計算機への電源供給線。
［２０］パラレル（プリンタ、ＩＥＥＥ１２８４）インターフェースデータ伝送路と一体化した電子計算機への電源供給線。
［２１］パラレル（プリンタ、ＩＥＥＥ１２８４）インターフェースデータ伝送路とパラレル（プリンタ、ＩＥＥＥ１２８４）周辺機器への電源供給線と一体化した電子計算機への電源供給線。
［２２］イーサーネット（ＩＥＥＥ８０２．３）インターフェースデータ伝送路と一体化した電子計算機への電源供給線。
［２３］イーサーネット（ＩＥＥＥ８０２．３）インターフェースデータ伝送路とイーサーネット（ＩＥＥＥ８０２．３）周辺機器への電源供給線と一体化した電子計算機への電源供給線。
【００６０】
《第６の実施形態》
図１０は、本発明の第６の実施形態に係る２台の電子計算機４、電源アダプタ１０’、周辺機器１２’、及びケーブルの概略の構成を模式的に示す斜視図である。
【００６１】
図１０に示す電源アダプタ１０’は周辺機器接続コネクタ２２を備え、周辺機器１２’はその周辺機器接続コネクタ２２を介して電源アダプタ１０’と接続し得るのであるが、図１０に示す構成では、周辺機器１２’と電源アダプタ１０’とは離されている。
【００６２】
また、図１０に示すケーブル３０’は、電源アダプタ１０’から電子計算機４への電源供給線１６を含む電源管２６と、電子計算機４と周辺機器接続コネクタ２２間のデータ伝送路１４を含むデータ管２４と、電子計算機４から周辺機器接続コネクタ２２への電源供給線２８を含む電源管３２とを一体化したケーブルであるが、電源管２６、データ管２４、及び電源管３２が、相互に着脱可能であるように構成されているものである（図５（３）参照）。そのようなケーブルにおいて、電源管２６と、データ管２４及び電源管３２とが図１０の構成では分離されている。
【００６３】
図１０の構成では、電源アダプタ１０’と電子計算機４（Ｂ）とが、ケーブルから分離された電源管２６を介して接続されている。従って、電子計算機４（Ｂ）には電源アダプタ１０’から電源が供給されることになる。また、電子計算機４（Ａ）と周辺機器１２’とが、ケーブルから分離されたデータ管２４及び電源管３２を介して接続されている。このことにより、電子計算機４（Ａ）は周辺機器１２’に電源を供給し周辺機器１２’とデータ伝送を行うことになる。
【００６４】
《第７の実施形態》
図１１及び図１２は、本発明の第７の実施形態に係る周辺機器搭載電源アダプタ８、ケーブル６、及び電子計算機４の概略の構成を模式的に示す斜視図である。
【００６５】
上述の第１の実施形態乃至第６の実施形態におけるケーブルでは、電源のための線とデータ伝送のための線とを物理的に分けている。以下の第７の実施形態では、供給電力信号とデータ信号とを多重化し分離する。従って、電力供給とデータ伝送を単一の電線で行う。
【００６６】
図１１（１）は、周辺機器搭載電源アダプタ８の電源アダプタ部１０から電子計算機４への供給電力信号と、電源アダプタ８に搭載される周辺機器（部）１２と電子計算機４とのデータ信号とを、多重化・分離する回路（多重化・分離回路）４６を有する周辺機器搭載電源アダプタ８を示す。多重化・分離回路４６は、電源供給回路２１からの供給電力信号と、データ信号とを、多重化・分離する回路である。電源アダプタ８と電子計算機４を接続するケーブル６において、単一の電線によって、電源アダプタ８から電子計算機４への電力の供給、及び電子計算機４と周辺機器（部）１２とのデータ伝送が可能になる。
【００６７】
図１１（２）は、周辺機器搭載電源アダプタ８の電源アダプタ部１０から電子計算機４への供給電力信号と、電源アダプタ８に搭載される周辺機器（部）１２と電子計算機４とのデータ信号とを、多重化・分離する回路（多重化・分離回路）４８を有する電子計算機４を示す。多重化・分離回路４８は、電源回路２３への供給電力信号と、データ信号とを、多重化・分離する回路である。電源アダプタ８と電子計算機４を接続するケーブル６において、単一の電線によって、電源アダプタ８から電子計算機４への電力の供給、及び電子計算機４と周辺機器（部）１２とのデータ伝送が可能になる。
【００６８】
図１１（１）に示す電源アダプタ８と図１１（２）に示す電子計算機４とは、対になる機能を夫々備えており、従って対で利用される。
【００６９】
図１２（１）は、電子計算機４から電源アダプタ８に搭載される周辺機器（部）１２への供給電力信号と、電源アダプタ８に搭載される周辺機器（部）１２と電子計算機４とのデータ信号とを、多重化・分離する回路（多重化・分離回路）５２を有する周辺機器搭載電源アダプタを示す。多重化・分離回路５２は、周辺機器（部）１２への供給電力信号と、データ信号とを、多重化・分離する回路である。電源アダプタ８と電子計算機４を接続するケーブル６において、単一の電線によって、電子計算機４から電源アダプタ８に搭載される周辺機器（部）１２への電力の供給、及び電子計算機４と周辺機器（部）１２とのデータ伝送が可能になる。
【００７０】
図１２（２）は、電子計算機４から電源アダプタ８に搭載される周辺機器（部）１２への供給電力信号と、電源アダプタ８に搭載される周辺機器（部）１２と電子計算機４とのデータ信号とを、多重化・分離する回路（多重化・分離回路）５４を有する電子計算機４を示す。多重化・分離回路５４は、電源供給回路５１から周辺機器（部）１２への供給電力信号と、データ信号とを、多重化・分離する回路である。電源アダプタ８と電子計算機４を接続するケーブルにおいて、単一の電線によって、電子計算機４から電源アダプタ８に搭載される周辺機器（部）１２への電力の供給、及び電子計算機４と周辺機器（部）１２とのデータ伝送が可能になる。
【００７１】
図１２（１）に示す電源アダプタ８と図１２（２）に示す電子計算機４も、対になる機能を夫々備えており、従って対で利用される。
【００７２】
更に図１４は、上述の図１１及び図１２に示す電源アダプタ及び電子計算機を組み合わせた構成例のブロック図である。周辺機器搭載電源アダプタ８は、電子計算機４に直流電圧の電力を供給し、電子計算機４は、電源アダプタ８に搭載された周辺機器（部）１２に直流電圧の電力を供給し、周辺機器（部）１２と電子計算機４とは、データ信号Ａおよびデータ信号Ｂを利用してデータ伝送を行うものとする。
【００７３】
周辺機器（部）１２は、電子計算機４とデータ伝送する際に用いるデータ信号Ａ及びデータ信号Ｂを処理するデータ信号Ａ処理回路６２及びデータ信号Ｂ処理回路６４を備える。更に周辺機器（部）１２は、電子計算機４から直流電圧の供給電力が入力される電源回路５６を備える。
【００７４】
電源アダプタ（部）１０は、電子計算機４へ直流電圧の電力を供給する電源供給回路２１を備える。更に電源アダプタ（部）１０は、電子計算機４から周辺機器（部）１２への直流電圧の供給電力信号とデータ信号Ａとを多重化・分離する第１の多重化・分離回路５２と、電源アダプタ（部）１０から電子計算機４への直流電圧の供給電力信号とデータ信号Ｂとを多重化・分離する第２の多重化・分離回路４６を備える。
【００７５】
電子計算機４は、電源アダプタ８から直流電圧の供給電力が入力される電源回路２３と、周辺機器搭載電源アダプタ８に搭載される周辺機器（部）１２に直流電圧の電力を供給する電源供給回路５１を備える。また、電子計算機４は、周辺機器（部）１２とデータ伝送する際に用いるデータ信号Ａ及びデータ信号Ｂを処理するデータ信号Ａ処理回路５８及びデータ信号Ｂ処理回路６０を備える。更に、電子計算機４は、電子計算機４から周辺機器（部）１２への直流電圧の供給電力信号とデータ信号Ａとを多重化・分離する第３の多重化・分離回路５４と、電源アダプタ（部）１０から電子計算機４への直流電圧の供給電力信号とデータ信号Ｂとを多重化・分離する第４の多重化・分離回路４８を備える。
【００７６】
図１４の例において、第１乃至第４の多重化・分離回路（５２、４６、５４、４８）は、インダクタとキャパシタで構成されている。インダクタは、直流電圧である電源アダプタ８から電子計算機４への供給電力信号、及び直流電圧である電子計算機４から周辺機器（部）１２への供給電力信号を、データ信号Ａ、及びデータ信号Ｂと、多重化・分離する回路部分である。キャパシタは、特定の周波数帯を使用するデータ信号Ａ、及びデータ信号Ｂを、直流電圧である電源アダプタ８から電子計算機４への供給電力信号、及び直流電圧である電子計算機４から周辺機器（部）１２への供給電力信号と、多重化および分離する回路部分である。なお、このような多重化・分離回路はあくまで一例であり、他の構成であってもよい。
【００７７】
電源アダプタ８及び電子計算機４の動作を説明する。電源アダプタ（部）１０は、第１の多重化・分離回路５２において、インダクタ５２Ｉを通じて電子計算機４の電源供給回路５１から出力される周辺機器（部）１２への直流電圧の供給電力信号と、キャパシタ５２Ｃを通じて周辺機器（部）１２から出力されるデータ信号Ａとを多重化する。また、電源アダプタ（部）１０は、第２の多重化・分離回路４６において、インダクタ４６Ｉを通じて電源アダプタ（部）１０の電源供給回路２１から出力される電子計算機４への直流電圧の供給電力信号と、キャパシタ４６Ｃを通じて周辺機器（部）１２から出力されるデータ信号Ｂとを多重化する。これらのことにより、ケーブル６を通じて、電子計算機４に対して、多重化された周辺機器（部）１２への供給電力信号とデータ信号Ａを、更に多重化された電子計算機４への供給電力信号とデータ信号Ｂを、出力することが可能となる。
【００７８】
また、電源アダプタ（部）１０は、第１の多重化・分離回路５２において、インダクタ５２Ｉを通じて電子計算機４の電源供給回路５１から出力される周辺機器（部）１２への直流電圧の供給電力信号と、キャパシタ５２Ｃを通じて電子計算機４から出力されるデータ信号Ａとを分離する。更に、電源アダプタ（部）１０は、第２の多重化・分離回路４６において、インダクタ４６Ｉを通じて電源アダプタ（部）１０の電源供給回路２１から出力される電子計算機４への直流電圧の供給電力信号と、キャパシタ４６Ｃを通じて電子計算機４から出力されるデータ信号Ｂとを分離する。これらのことにより、周辺機器（部）１２に対して、分離された周辺機器（部）１２への供給電力信号と、分離されたデータ信号Ａ及びデータ信号Ｂを入力することが可能となる。
【００７９】
電子計算機４は、第３の多重化・分離回路５４において、インダクタ５４Ｉを通じて電子計算機４の電源供給回路５１から出力される周辺機器（部）１２への直流電圧の供給電力信号と、キャパシタ５４Ｃを通じて電子計算機４から出力されるデータ信号Ａとを多重化する。また、電子計算機４は、第４の多重化・分離回路４８において、インダクタ４８Ｉを通じて電源アダプタ（部）１０の電源供給回路２１から出力される電子計算機４への直流電圧の供給電力信号と、キャパシタ４８Ｃを通じて電子計算機４から出力されるデータ信号Ｂとを多重化する。これらのことにより、ケーブル６を通じて、電源アダプタ（部）１０及び電源アダプタ８に搭載された周辺機器（部）１０に対して、多重化された周辺機器（部）１２への供給電力信号とデータ信号Ａを、更に多重化された電子計算機４への供給電力信号とデータ信号Ｂを、出力することが可能となる。
【００８０】
また、電子計算機４は、第３の多重化・分離回路５４において、インダクタ５４Ｉを通じて電子計算機４の電源供給回路５１から出力される周辺機器（部）１２への直流電圧の供給電力信号と、キャパシタ５４Ｃを通じて周辺機器（部）１２から出力されるデータ信号Ａとを分離する。更に、電子計算機４は、第４の多重化・分離回路４８において、インダクタ４８Ｉを通じて電源アダプタ（部）１０の電源供給回路２１から出力される電子計算機４への直流電圧の供給電力信号と、キャパシタ４８Ｃを通じて周辺機器（部）１２から出力されるデータ信号Ｂとを分離する。これらのことにより、電子計算機４への供給電力信号を自らの電源回路２３へ入力し、分離されたデータ信号Ａ及びデータ信号Ｂを自らのデータ信号Ａ処理回路５８およびデータ信号Ｂ処理回路６０に入力することが可能となる。
【００８１】
以上の結果、データ信号Ａが周辺機器（部）１２への供給電力信号と多重化され、データ信号Ｂが電子計算機４への供給電力信号と多重化されることによって、電源アダプタ８から電子計算機４に対して電源が正常に供給され、電子計算機４から周辺機器（部）１２に対して電源が正常に供給され、電子計算機４と周辺機器（部）１２とがデータ信号Ａ及びデータ信号Ｂを用いて正常にデータ伝送をすることになる。
【００８２】
図１３は、本発明の第７の実施形態の変形例に係る周辺機器搭載電源アダプタ８の概略の構成を模式的に示す斜視図である。図１３に示す周辺機器搭載電源アダプタ８は、電子計算機４から周辺機器搭載電源アダプタ８に搭載された周辺機器（部）１２への供給電力信号と、自らに搭載する周辺機器（部）１２への供給電力信号とを多重化する回路（電源多重化回路）５４を備える。これにより、一方の供給電力が不安定になった場合でも、もう一方の供給電力が周辺機器（部）１２に電力を供給することによって、周辺機器（部）１２に安定した電力が供給されることになる。
【００８３】
図１５は、図１３の更なる詳細例を示し、電子計算機４から周辺機器搭載電源アダプタ８に搭載された周辺機器（部）１２への供給電力信号と、自らに搭載する周辺機器（部）１２への供給電力信号とを多重化する回路（電源多重化回路）５４を備える周辺機器搭載電源アダプタ８の構成例を示す。
【００８４】
電源多重化回路５４は、２つ以上のダイオードで構成されている。ダイオードのカソードはすべて短絡されており、ダイオードは周辺機器（部）１２が必要とする電力を供給できるものとしている。なお、このような電源多重化回路はあくまで一例であり、他の構成であってもよい。
【００８５】
電源多重化回路５４において、あるダイオードのアノードに電源アダプタ（部）１０から周辺機器（部）１２に供給される電力を接続し、別のダイオードのアノードに電子計算機４から周辺機器（部）１２に供給される電力を接続する。このようにすることにより、周辺機器（部）に適切に安定した電力が供給されることになる。
【００８６】
即ち、複数のダイオードのアノードに電力が供給されている場合、いずれかの供給電力が周辺機器（部）１２の入力電源の仕様を満たさないときでも、別の供給電力がその仕様を満たしていれば、周辺機器（部）１２に適切に電力が供給される。更に、夫々の供給電力が周辺機器（部）１２の入力電源の仕様を満たさないときでも、すべての供給電力の合計がその仕様を満たしていれば、周辺機器（部）１２に適切に電力が供給される。
【００８７】
以上のような第７の実施形態は、上述の第５の実施形態の説明で示した周辺機器搭載電源アダプタの具体例、及びデータ伝送路と電源供給線とが一体となるものの具体例においても、勿論適用できる。
【図面の簡単な説明】
【００８８】
【図１】本発明の第１の実施形態に係る周辺機器搭載電源アダプタ、電子計算機、及び両者を接続するケーブルの概略の斜視図である。
【図２】本発明の第１の実施形態の変形例に係る電源アダプタ、電子計算機、及び両者を接続するケーブルの概略の斜視図である。
【図３】本発明の第１の実施形態の更なる変形例に係る周辺機器搭載電源アダプタ、電子計算機、及び両者を接続するケーブルの概略の斜視図である。
【図４】本発明の第２の実施形態に係るケーブルの構成内容を模式的に示す斜視図である。
【図５】本発明の第３の実施形態に係るケーブルの構成内容を模式的に示す斜視図である。
【図６】本発明の第４の実施形態に係るケーブル出力コネクタ及び入力コネクタの構成内容を模式的に示す斜視図である。
【図７】本発明の第４の実施形態に係るケーブル出力コネクタ及び入力コネクタの構成内容を模式的に示す斜視図である。
【図８】本発明の第４の実施形態に係るケーブル出力コネクタ及び入力コネクタの構成内容を模式的に示す斜視図である。
【図９】本発明の第５の実施形態に係る周辺機器搭載電源アダプタ、ケーブル及び電子計算機の概略の構成を模式的に示す斜視図である。
【図１０】本発明の第６の実施形態に係る２台の電子計算機、電源アダプタ、周辺機器、及びケーブルの概略の構成を模式的に示す斜視図である。
【図１１】本発明の第７の実施形態に係る周辺機器搭載電源アダプタ、ケーブル、及び電子計算機の概略の構成を模式的に示す斜視図である。
【図１２】本発明の第７の実施形態に係る周辺機器搭載電源アダプタ、ケーブル、及び電子計算機の概略の構成を模式的に示す斜視図である。
【図１３】本発明の第７の実施形態の変形例に係る周辺機器搭載電源アダプタの概略の構成を模式的に示す斜視図である。
【図１４】図１１及び図１２に示す電源アダプタ及び電子計算機の構成を組み合わせた例のブロック図である。
【図１５】図１３の更なる詳細例を示し、電子計算機から周辺機器搭載電源アダプタに搭載された周辺機器部への供給電源と、自らに搭載する周辺機器部への供給電源とを多重化する回路を備える周辺機器搭載電源アダプタの構成例を示す。
【図１６】従来技術に係る電子計算機、電源アダプタ、電源アダプタケーブル、周辺機器、周辺機器ケーブル、及び周辺機器用電源アダプタの構成を模式的に示す斜視図である。
【符号の説明】
【００８９】
４・・・電子計算機、６・・・ケーブル、８・・・周辺機器搭載電源アダプタ、１０・・・電源アダプタ部、１２・・・周辺機器部、１４・・・データ伝送路、１６・・・電源供給線、２０・・・電源分岐部、２１・・・電源供給回路、２２・・・周辺機器接続コネクタ、２３・・・電源回路、２４・・・データ管、２６・・・電源管、２８・・・電源供給線、３０・・・ケーブル、３２・・・電源管、３４・・・データ伝送コネクタ、３６・・・電源供給コネクタ、３８・・・データ入出力コネクタ、４０・・・電源入力コネクタ、４２・・・周辺機器電源供給コネクタ、４４・・・周辺機器電源出力コネクタ、４６・・・第２の多重化・分離回路、４８・・・第２の多重化・分離回路、５０・・・周辺機器制御回路、５２・・・第３の多重化・分離回路、５４・・・第４の多重化・分離回路、５６・・・周辺機器用電源供給回路、５８・・・データ信号Ａ処理回路、６０・・・データ信号Ｂ処理回路、６２・・・データ信号Ｂ処理回路、６４・・・データ信号Ｂ処理回路。
【図１】
2007086876.tif 000003
【図２】
2007086876.tif 000004
【図３】
2007086876.tif 000005
【図４】
2007086876.tif 000006
【図５】
2007086876.tif 000007
【図６】
2007086876.tif 000008
【図７】
2007086876.tif 000009
【図８】
2007086876.tif 000010
【図９】
2007086876.tif 000011
【図１０】
2007086876.tif 000012
【図１１】
2007086876.tif 000013
【図１２】
2007086876.tif 000014
【図１３】
2007086876.tif 000015
【図１４】
2007086876.tif 000016
【図１５】
2007086876.tif 000017
【図１６】
2007086876.tif 000018